(57)【要約】  本願発明は、光学部材と表示パネルとが接触して傷がつくことを防止するとともに、表示パネルの周縁部に輝度が低い部分が発生することを防止できる表示装置を提供することを目的とする。  本願発明の表示装置に適用される光源装置用フレーム（１ａ）は、開口した四辺形の形状に形成されており、表示パネルが載置される前面部（１２）の内周面（１４ａ）が白色に形成されるとともに、表示パネルの周縁部と光学部材の周縁部であってシャーシの載置面に載置される部分との間に、表示パネルと光学部材とを離間した状態に維持するスペーサ部（１３）が設けられている。
2010073804.tif 000002
【特許請求の範囲】
【請求項１】
表示パネルを載置可能な光源装置用のフレームであって、開口した略四辺形の形状に形成されるとともに前記表示パネルを載置可能な面が形成される前面部を有し、前記前面部の内周面は略白色に形成されることを特徴とする光源装置用のフレーム。
【請求項２】
前記前面部の内周面は、前記表示パネルを載置可能な面に略直角な面であるか、または前記表示パネルを載置可能な面に向かって拡がる傾斜面であることを特徴とする請求項１に記載の光源装置用のフレーム。
【請求項３】
略白色の樹脂材料により形成されることを特徴とする請求項１または請求項２に記載の光源装置用のフレーム。
【請求項４】
前記前面部の内周面には略白色の塗料が塗布されることを特徴とする請求項１または請求項２に記載の光源装置用のフレーム。
【請求項５】
前記前面部の内周面には光を反する略白色の反射材が貼り付けられることを特徴とする請求項１または請求項２に記載の光源装置用のフレーム。
【請求項６】
表示パネルを載置可能な光源装置用のフレームであって、開口した略四辺形の形状に形成されるとともに前記表示パネルを載置可能な面が形成される前面部を有し、前記前面部の前記表示パネルを載置可能な面とは反対側の面には前記前面部の内周縁に沿って前記開口を囲繞する凸状のスペーサ部が形成され、前記スペーサ部の側面の一方が前記前面部の内周面を形成するとともに、前記前面部の内周面が略白色に形成されることを特徴とする光源装置用のフレーム。
【請求項７】
表示パネルを載置可能な光源装置用のフレームであって、開口した略四辺形の形状に形成されるとともに前記表示パネルを載置可能な面が形成される前面部を有し、前記前面部の前記表示パネルを載置可能な面とは反対側の面には前記前面部の内周縁に沿って前記開口を囲繞する内壁と凸状のスペーサ部が形成され、前記内壁の側面の一方が前記前面部の内周面を形成するとともに前記前面部の内周面が略白色に形成されることを特徴とする光源装置用のフレーム。
【請求項８】
前記前面部の内周面は、前記前面部の前記表示パネルを載置可能な面に略直角な面であるか、または前記前面部の前記表示パネルを載置可能な面に向かって拡がる傾斜面であることを特徴とする請求項６または請求項７に記載の光源装置用のフレーム。
【請求項９】
略白色の樹脂材料により形成されることを特徴とする請求項６から請求項８のいずれかに記載の光源装置用のフレーム。
【請求項１０】
前記前面部の内周面は略白色の塗料が塗布されることを特徴とする請求項６から請求項８のいずれかに記載の光源装置用のフレーム。
【請求項１１】
前記前面部の内周面には、光を反射する略白色の反射材が貼り付けられることを特徴とする請求項６から請求項８のいずれかに記載の光源装置用のフレーム。
【請求項１２】
請求項１から請求項５のいずれかに記載の光源装置用のフレームと、光源と、透過する光の特性を調整できる板状および／またはシート状の光学部材と、略平板状に形成されるとともに前記光学部材の周縁部を載置可能な載置面が形成されるシャーシとを備え、前記シャーシの前面側に前記光源が配設され、前記シャーシの前面側に前記光学部材が配設され、前記シャーシの前面側に前記フレームが装着され、前記光学部材の周縁部が前記シャーシの載置面と前記フレームの前面部との間に保持されるとともに、前記光学部材の前記シャーシの載置面に載置される部分よりも内側の部分が前記フレームの前記前面部の内周面に囲繞されることを特徴とする光源装置。
【請求項１３】
請求項６から請求項１１のいずれかに記載の光源装置用のフレームと、光源と、透過する光の特性を調整できる板状および／またはシート状の光学部材と、略平板状に形成されるとともに前記光学部材の周縁部を載置可能な載置面が形成されるシャーシとを備え、前記シャーシの前面側に前記光源が配設され、前記シャーシの前面側に前記光学部材が配設され、前記シャーシの前面側に前記フレームが装着され、前記光学部材の周縁部が前記シャーシの載置面と前記フレームの前面部に形成されるスペーサ部との間に保持されるとともに、前記光学部材の前記シャーシの載置面に載置される部分よりも内側の部分が前記フレームの前記前面部の内周面に囲繞されることを特徴とする光源装置。
【請求項１４】
請求項１２に記載の光源装置と、画像を表示する表示パネルと、開口した略四辺形の形状に形成されるベゼルとを備え、前記光源装置の前記フレームの前面部に形成される前記表示パネルを載置可能な面に前記表示パネルが配設され、前記表示パネルおよび前記フレームの前面側に前記ベゼルが装着され、前記表示パネルの周縁部と前記光学部材の周縁部であって前記シャーシの前記載置面に載置される部分との間に前記フレームの前記前面部が介在するとことを特徴とする表示装置。
【請求項１５】
請求項１３に記載の光源装置と、画像を表示する表示パネルと、開口した略四辺形の形状に形成されるベゼルとを備え、前記光源装置の前記フレームの前面部に形成される前記表示パネルを載置可能な面に前記表示パネルが配設され、前記表示パネルおよび前記フレームの前面側に前記ベゼルが装着され、前記表示パネルの周縁部と前記光学部材の周縁部であって前記シャーシの前記載置面に載置される部分との間に前記フレームの前記スペーサ部が介在し、前記表示パネルと前記光学部材とは前記フレームの前記スペーサ部によって離間した状態を維持することを特徴とする表示装置。
【発明の詳細な説明】
【技術分野】
【０００１】
本発明は、光源装置用のフレーム、光源装置および表示装置に関するものであり、特に好適には、透過型の液晶表示パネルなどといった非自発光型の表示パネルを備えた表示装置に適用される光源装置用のフレーム、このフレームを備える光源装置およびこの光源装置が適用された表示装置に関するものである。
【背景技術】
【０００２】
透過型の液晶表示パネルなどといった非自発光型の表示パネルを備える表示装置は、一般的に、表示パネルの背面側に光源装置（「バックライト装置」などと称することもある）が配設されるという構成を備える。このような表示装置に適用された光源装置は、表示パネルの背面側に光を照射することができる。光源装置が発した光が表示パネルの背面側に照射されると、表示パネルの前面側には画像が可視状態に表示される。【０００３】
表示装置に適用される光源装置には、直下型やサイドエッジ型などの種類がある。このうち一般的な直下型の光源装置は、たとえば次のような構成を備える。一般的な直下型の光源装置は、底の浅いトレイのような構造を有するシャーシと、蛍光管などの光源と、透過する光の特性を調整するシート状または板状の光学部材（光学シート類とも称する）と、開口した略四辺形の形状（換言すると、額縁状の構造）を有するフレームとを備える。そして、シャーシの前面側に光源が配設され、シャーシおよび光源の前面側に光学部材が配設される。光源と光学部材がシャーシの前面側に配設された状態で、光学部材の周縁部を覆うように、シャーシの前面側にフレームが装着される。そうすると、光学部材の周縁部がシャーシの周縁部の前面側とフレームの背面側との間に収まり、これにより光学部材が光源装置に保持される。このような構成の光源装置は、光源が発する光の特性を光学部材によって調整し、光学部材を透過した光を表示パネルの背面側に照射することができる。【０００４】
このような光源装置を備える表示装置は、開口した略四辺形の形状（換言すると、額縁状の構造）を有するベゼルと、表示パネルとを備える。そして、光源装置の前面側に表示パネルが配設され（詳しくは、光源装置のフレームの前面側に表示パネルの周縁部が配設され）、さらにその前面側に、表示パネルの周縁部と光源装置のフレームの前面および側面を覆うようにベゼルが装着されるという構成を有する。このような構成によれば、表示パネルの周縁部が光源装置のフレームの前面側とベゼルの背面側との間に収まり、これにより表示パネルが表示装置に保持される。【０００５】
前記のような表示装置は、光学部材の前面側に表示パネルが配設されるという構成を備えることになる。ここで、光学部材と表示パネルとが接近していると、次のような問題が生じることがある。表示装置に外力が加わって振動などすると、光学部材が移動することがある。この際に光学部材と表示パネルとが接近していると、光学部材が表示パネルの背面側の表面に接触して擦れ、光学部材や表示パネルの表面に貼り付けられている偏光板に傷がつくことがある。光学部材や偏光板に傷がつくと、この傷によって透過する光の状態が変化し、この結果、表示パネルが表示する画像には、傷に起因して輝度ムラが発生することがある。【０００６】
また、温度変化や湿度変化などによって光学部材の寸法が変化すると（特に寸法が増加すると）、光学部材に皺（しわ）が発生することがある。光学部材に皺が発生すると、光源装置から照射される光の面方向の強度分布が均一とならず、強度ムラが生じる。この場合において、光学部材と表示パネルとが接近していると、強度ムラを有する光がそのまま表示パネルの背面側に照射されるから（すなわち、強度ムラが緩和または解消されることなく照射されるから）、表示パネルが表示する画像に輝度ムラが発生しやすくなる。【０００７】
このように、光学部材と表示パネルとが接近していると、表示パネルが表示する画像に輝度ムラが生じて表示装置の表示品位が低下するおそれがある。このため、光学部材の前面側と表示パネルの背面側との間の距離を大きくすることが好ましい。しかしながら、光学部材の前面側と表示パネルの背面側との間の距離を大きくすると、次のような問題が生じる。【０００８】
光学部材と表示パネルとの間の距離を大きくすると、表示装置の表示パネルをその前面側から見た場合に、光学部材と表示パネルとの間の隙間を通じて、光学部材の周縁部や、光学部材の周縁部を保持するための緩衝材などが見える。光学部材の周縁部はシャーシの周縁部の前面側に載置されており、その背面側には光源が発する光が照射されないから、光が照射される部分に比較して暗い。同様に、光学部材の周縁部を保持するための緩衝材も、他の部分に比較して暗い。このため、表示パネルの周縁部が中心部に比較して暗く見える。このように、表示パネルの周縁部と中心部とで輝度差が生じ、表示装置の表示品位が低下する。【０００９】
光学部材の周縁部や光学部材の周縁部を保持するための緩衝材が、表示パネルの前面側から見えないようにするためには、光学部材の周縁部や緩衝材を、ベゼルの開口部の内周縁から外側に位置するように配設する構成が挙げられる。すなわち前記の通り、光源装置は光学部材を通じて光を照射することができるが、この光を照射できる領域を大きくし、この領域の外周がベゼルの開口部の内周縁よりも外側に位置する構成とする。このような構成とすると、表示パネルを前面側から見た場合、光学部材の周縁部や緩衝材はベゼルに隠れて見えなくなり、光源装置の光を照射できる領域のみが見えるようになる。この結果、表示パネルの周縁部に輝度の低い部分が発生しなくなり、表示パネルの輝度を全面にわたって均一にすることができる。【００１０】
しかしながらこのような構成においては、シャーシに形成される光学部材の周縁部を載置するための構造物やシャーシの強度を保持するための構造物を、ベゼルの開口部の内周縁よりも外側に配設する必要がある。このため、ベゼルに形成される開口の寸法はそのままでシャーシの外形寸法を大きくする必要があるから、表示装置のいわゆる額縁領域の面積が大きくなり、狭額縁化に対応することが困難となる。一方、シャーシの外形寸法を大きくすることなく、光学部材を通じて光を照射できる領域の寸法を大きくしようとすると、シャーシの強度を保持するための構造物を形成する領域が狭くなる。このため、シャーシの強度を保持するための構造物の寸法を小さくする必要があるから、シャーシの強度が低下するおそれがある。
【先行技術文献】
【特許文献】
【００１１】
【特許文献１】ＷＯ２００５／１２４４０１
【発明の概要】
【発明が解決しようとする課題】
【００１２】
上記実情に鑑み、本発明が解決しようとする課題は、光学部材と表示パネルとが接触しないような距離を維持しつつ表示パネルの周縁部に暗部が生じないようにできる光源装置用のフレーム、光源装置、表示装置を提供すること、または、光学部材と表示パネルとが接触しないような距離を維持しつつ狭額縁化を図ることができる光源装置用のフレーム、光源装置、表示装置を提供すること、または、シャーシの強度を低下させることなく表示パネルの周縁部に暗部を生じないようにできる光源装置用のフレーム、光源装置、表示装置を提供することである。
【課題を解決するための手段】
【００１３】
前記課題を解決するため、本発明は、表示パネルを載置可能な光源装置用のフレームであって、開口した略四辺形の形状に形成されるとともに前記表示パネルを載置可能な面が形成される前面部を有し、前記前面部の内周面は略白色に形成されることを要旨とするものである。【００１４】
ここで、前記前面部の内周面は、前記表示パネルを載置可能な面に略直角な面であるか、または前記表示パネルを載置可能な面に向かって拡がる傾斜面であることが好ましい。【００１５】
前記光源装置用のフレームは、略白色の樹脂材料により形成されることが好ましい。【００１６】
また、前記前面部の内周面に略白色の塗料が塗布される構成や、前記前面部の内周面に光を反する略白色の反射材が貼り付けられる構成であってもよい。【００１７】
本発明は、表示パネルを載置可能な光源装置用のフレームであって、開口した略四辺形の形状に形成されるとともに前記表示パネルを載置可能な面が形成される前面部と、前記前面部の前記表示パネルを載置可能な面とは反対側の面に前記前面部の内周縁に沿って前記開口を囲繞するように形成される凸状のスペーサ部とを有し、前記スペーサ部の側面の一方が前記前面部の内周面を形成するとともに、前記前面部の内周面は略白色に形成されることを要旨とするものである。【００１８】
本発明は、表示パネルを載置可能な光源装置用のフレームであって、開口した略四辺形の形状に形成されるとともに前記表示パネルを載置可能な面が形成される前面部と、前記前面部の前記表示パネルを載置可能な面とは反対側の面に前記前面部の内周縁に沿って前記開口を囲繞するように形成される内壁と、前記前面部の前記内壁が形成される面と同じ側の面に形成される凸状のスペーサ部とを有し、前記内壁の側面の一方が前記前面部の内周面を形成するとともに、前記前面部の内周面が略白色に形成されることを要旨とするものである。【００１９】
前記前面部の内周面は、前記前面部の前記表示パネルを載置可能な面に略直角な面であるか、または前記前面部の前記表示パネルを載置可能な面に向かって拡がる傾斜面であることが好ましい。【００２０】
前記光源装置用のフレームは、略白色の樹脂材料により形成されることが好ましい。【００２１】
前記前面部の内周面に略白色の塗料が塗布される構成や、前記前面部の内周面に光を反射する略白色の反射材が貼り付けられる構成であってもよい。【００２２】
本発明は、前記光源装置用のフレームと、光源と、透過する光の特性を調整できる板状および／またはシート状の光学部材と、略平板状に形成されるとともに前記光学部材の周縁部を載置可能な載置面が形成されるシャーシとを備え、前記シャーシの前面側に光源が配設され、前記シャーシの前面側に前記光学部材が配設され、前記シャーシの前面側に前記フレームが装着され、前記光学部材の周縁部が前記シャーシの載置面と前記フレームの前面部との間に保持されるとともに、前記光学部材の前記シャーシの載置面に載置される部分よりも内側の部分が前記フレームの前記前面部の内周面に囲繞されること要旨とするものである。【００２３】
また、本発明は記載の光源装置用のフレームと、光源と、透過する光の特性を調整できる板状および／またはシート状の光学部材と、略平板状に形成されるとともに前記光学部材の周縁部を載置可能な載置面が形成されるシャーシとを備え、前記シャーシの前面側に光源が配設され、前記シャーシの前面側に前記光学部材が配設され、前記シャーシの前面側に前記フレームが装着され、前記光学部材の周縁部が前記シャーシの載置面と前記フレームの前面部に形成されるスペーサ部との間に保持されるとともに、前記光学部材の前記シャーシの載置面に載置される部分よりも内側の部分が前記フレームの前記前面部の内周面に囲繞されることを要旨とするものである。【００２４】
本発明は、前記光源装置と、画像を表示する表示パネルと、開口した略四辺形の形状に形成されるベゼルとを備え、前記光源装置の前記フレームの前面部に形成される前記表示パネルを載置可能な面に前記表示パネルが配設され、前記表示パネルおよび前記フレームの前面側に前記ベゼルが装着され、前記表示パネルの周縁部と前記光学部材の周縁部であって前記シャーシの前記載置面に載置される部分との間に前記フレームの前記前面部が介在することを要旨とするものである。【００２５】
また、本発明は、前記光源装置と、画像を表示する表示パネルと、開口した略四辺形の形状に形成されるベゼルとを備え、前記光源装置の前記フレームの前面部に形成される前記表示パネルを載置可能な面に前記表示パネルが配設され、前記表示パネルおよび前記フレームの前面側に前記ベゼルが装着され、前記表示パネルの周縁部と前記光学部材の周縁部であって前記シャーシの前記載置面に載置される部分との間に前記フレームの前記スペーサ部が介在し、前記表示パネルと前記光学部材とは前記フレームの前記スペーサ部によって離間した状態を維持することを要旨とするものである。
【発明の効果】
【００２６】
本発明によれば、フレームの前面部の内周面においても光源が発して光学部材を透過した光を反射させることができる。したがって、このようなフレームが適用された表示装置において、表示パネルが表示する画像の周縁部に暗部が発生することを防止して、表示パネルの全面にわたって均一な輝度で画像の表示を行うことができる。したがって、表示装置の表示品位の向上を図ることができる。【００２７】
特に、フレームの内周面が表示パネルに向かって拡がるような傾斜面であれば、この内周面に反射した光が表示パネルに向かいやすくなる。このため、表示パネルの周縁部における輝度の低下をより効果的に防止することができる。【００２８】
本発明によれば、光学部材と表示パネルとが、光源装置用のフレームのスペーサ部によって離間した状態に維持される。このため、光学部材が表示パネルに接触して光学部材や表示パネルの表面に傷がつくことを防止できる。したがって、光学部材や表示パネルの表面の傷に起因する輝度ムラの発生を防止することができ、表示装置の表示品位の向上を図ることができる。【００２９】
また、光学部材の周縁部（すなわち、シャーシの載置面に載置される部分）は、フレームの内周面により隠れて見えなくなる。したがって、光学部材の周縁部を、フレームの内周面よりも大きく外側にずれた位置に配設しなくても、光学部材の周縁部が見えなくなる。このため、表示装置の額縁領域（すなわち、ベゼル）の寸法を大きくする必要がなくなり、表示装置の額縁領域が大きくなることを防止でき、表示装置の狭額縁化を図ることができる。したがって、光学部材と表示パネルとが接触しないような距離を維持しつつ、表示装置の狭額縁化を図ることができる。【００３０】
また、シャーシの載置面を光源装置用のフレームの内周面に近い位置に設けることができるから、シャーシの載置面の幅方向寸法を小さくする必要がない。このため、シャーシの載置面などの横幅寸法を十分に確保することができるから、シャーシが強度不足となることを防止できる。したがって、シャーシの強度を低下させることなく、表示パネルが表示する画像の周縁部に暗部が発生することを防止できる。【００３１】
このように、本発明によれば、光学部材と表示パネルとを離間させて光学部材や表示パネルの表面に傷がつくことを防止しつつ、表示パネルの周縁部に暗部が発生することを防止できる。したがって、表示装置の表示品位の向上を図ることができる。
【図面の簡単な説明】
【００３２】
【図１】本発明の第一実施形態にかかるフレームの構成を、模式的に示した外観斜視図である。
【図２】図１のＡ−Ａ線断面図であり、本発明の第一実施形態にかかるフレームの断面構造を、模式的に示した図である。
【図３】本発明の第二実施形態にかかるフレームの構成を、模式的に示した外観斜視図である。
【図４】図３のＢ−Ｂ線断面図であり、本発明の第二実施形態にかかるフレームの断面構造を、模式的に示した図である。
【図５】本発明の第三実施形態にかかる光源装置用のフレームの断面構造を、模式的に示した図である。
【図６】本発明の第四実施形態にかかる光源装置用のフレームの断面構造を、模式的に示した図である。
【図７】本発明の第五実施形態にかかる光源装置用のフレームの断面構造を、模式的に示した図である。
【図８】本発明の第六実施形態にかかる光源装置用のフレームの断面構造を、模式的に示した図である。
【図９】本発明の第七実施形態にかかる光源装置用のフレームの断面構造を、模式的に示した図である。
【図１０】本発明の第八実施形態にかかる光源装置用のフレームの断面構造を、模式的に示した図である。
【図１１】本発明のいずれかの実施形態にかかるフレームが適用された表示装置に好適なシャーシの構成を、模式的に示した外観斜視図である。
【図１２】本発明のいずれかの実施形態にかかるフレームが適用された光源装置の構成を、模式的に示した分解斜視図である。
【図１３】本発明のいずれかの実施形態にかかるフレームが適用された光源装置の断面構造を、模式的に示した図である。
【図１４】本発明の実施形態にかかる光源装置が適用された表示装置の構成を、模式的に示した分解斜視図である。
【図１５】本発明の実施形態にかかる光源装置が適用された表示装置の断面構造を、模式的に示した図である。
【図１６】本発明の実施形態にかかる表示装置が適用されたテレビ受信機の一例の構成を、模式的に示した分解斜視図である。
【発明を実施するための形態】
【００３３】
以下に、本発明の各種実施形態について、図面を参照して詳細に説明する。
【００３４】
図１は、本発明の第一実施形態にかかる光源装置用のフレーム１ａの構成を、模式的に示した外観斜視図である。図２は、図１のＡ−Ａ線矢視図（Ａ−Ａ線断面図）であり、本発明の第一実施形態にかかる光源装置用のフレーム１ａの断面構造を、模式的に示した図である。説明の便宜上、図１および図２の上方を、本発明の第一実施形態にかかる光源装置用のフレーム１ａの前面側と称し、下方を背面側と称する。
【００３５】
図１に示すように、本発明の第一実施形態にかかる光源装置用のフレーム１ａは、開口した略四辺形の形状を有する。換言すると、略四辺形の額縁のような構造を有する。本発明の第一実施形態にかかる光源装置用のフレーム１ａは、樹脂材料により一体に形成される構成、樹脂材料からなる部品を組み合わせて形成される構成、金属の板材などからなりプレス加工により一体に形成される構成、金属の板材などからなりプレス加工により形成される部品を組み合わせて形成される構成などが適用できる。
【００３６】
図１に示すように、本発明の第一実施形態にかかる光源装置用のフレーム１ａは、開口した略四辺形に形成される前面部１２を有する。すなわち、前面部１２の外形が略四辺形に形成されるとともに、前面部１２には略四辺形の開口部が形成される。この前面部１２の前面側は略平面状に形成されており、表示パネルの周縁部を載置することができる。そして前面部１２の所定の位置には、表示パネルを位置決めするための係止突起１５が形成される。図１においては、前面部１２の四隅に略Ｌ字形状の係止突起１５が形成される構成を示す。そして、係止突起１５に囲まれる領域に表示パネルを嵌め込むように載置することができる。なお、係止突起１５の内周側の面には、ゴムやスポンジなどの緩衝材１６が設けられることがある。また、前面部１２の各辺の内周縁（すなわち開口部側）には、前面部１２の前面側の面に略直角な内周面１４ａが形成される。さらに、前面部１２の各辺の外周縁には、背面側に向かって起立する外壁１１が形成される。
【００３７】
図２に示すように、本発明の第一実施形態にかかる光源装置用のフレーム１ａの前面部１２の各辺には、外壁１１が形成される。外壁１１は、前面部１２の各辺の外周縁に沿って形成される構造物であり、背面側に向かって突起する。このため、本発明の第一実施形態にかかる光源装置用のフレーム１ａの各辺は、断面略Ｌ字形状に形成される。
【００３８】
前面部１２の背面側にはスペーサ部１３が設けられる。このスペーサ部１３は、後述する光学部材と表示パネルとを所定の距離だけ離間させる機能を有する。このスペーサ部１３は、背面側に向かって突起する凸状の構造物であり、所定の高さを有し、前面部１２の背面側の内周縁に沿って開口部を囲繞するように形成される。そして光学部材と表示パネルとの間の距離は、このスペーサ部１３の高さ寸法により規定される。このため、スペーサ部１３の高さ寸法は、光学部材と表示パネルとの間の距離（すなわち、光学部材と表示パネルとをどれだけ離間させるか）に基づいて設定される。なお、このスペーサ部１３は、前面部１２の各辺の内周縁に沿って途切れることなく形成される構成であることが好ましい。すなわち、開口部を隙間なく囲繞するように形成されることが好ましい。
【００３９】
そして、スペーサ部１３の一方の側面（前面部の内周縁側の側面）が、本発明の第一実施形態にかかる光源装置用のフレーム１ａの前面部１２の内周面１４ａとなる。この内周面１４ａは、前面部１２に略直角な平面である。そしてこの内周面１４ａは、略白色に形成される。なお、本発明の第一実施形態にかかる光源装置用のフレーム１ａは、前面部１２の内周面１４ａが略白色に形成される構成であればよく、他の部分の色は限定されるものではない。たとえば、本発明の第一実施形態にかかる光源装置用のフレーム１ａの全体が略白色であってもよく、前面部１２の内周面１４ａのみが略白色であってもよい（すなわち、他の部分は略白色でなくてもよい）。要は、本発明の第一実施形態にかかる光源装置用のフレーム１ａのうち、少なくとも前面部１２の内周面１４ａが略白色であればよい。
【００４０】
たとえば、本発明の第一実施形態にかかる光源装置用のフレーム１ａが、略白色の樹脂材料または略白色に着色された樹脂材料により形成される構成が適用できる。このような構成であれば、本発明の第一実施形態にかかる光源装置用のフレーム１ａは全体が略白色となり、前面部１２の内周面１４ａも略白色となる。また、本発明の第一実施形態にかかる光源装置用のフレーム１ａが金属の板材などからなる場合には、少なくとも前面部１２の内周面１４ａに略白色の塗料が塗布される構成が適用できる。この場合には、前面部１２の内周面１４ａにのみ略白色の塗料が塗布される構成であってもよく、本発明の第一実施形態にかかる光源装置用のフレーム１ａの全体に略白色の塗料が塗布される構成であってもよい。
【００４１】
また、図２においては、スペーサ部１３が中実である構成を示すが、スペーサ部１３の構成は特に限定されるものではなく、たとえば中空であってもよい。要は、前面部１２の背面側の内周縁に沿って所定の高さを有するスペーサ部１３が形成され、スペーサ部１３の開口部側の側面が前面部１２の内周面１４ａとなる構成であればよい。また、このスペーサ部１３は、前面部１２に一体に形成される構成であってもよく、別部材を取り付ける構成であってもよい。
【００４２】
次に、本発明の第二実施形態にかかる光源装置用のフレーム１ｂについて説明する。図３は、本発明の第二実施形態にかかる光源装置用のフレーム１ｂの構成を、模式的に示した外観斜視図である。図４は、図３のＢ−Ｂ線断面図（Ｂ−Ｂ線矢視図）であり、本発明の第二実施形態にかかる光源装置用のフレーム１ｂの断面構造を模式的に示した図である。
【００４３】
図３に示すように、本発明の第二実施形態にかかる光源装置用のフレーム１ｂは、本発明の第一実施形態にかかる光源装置用のフレーム１ａに似た構成を有する。すなわち、本発明の第二実施形態にかかる光源装置用のフレーム１ｂは、開口した略四辺形の形状を有する。本発明の第二実施形態にかかる光源装置用のフレーム１ｂは、本発明の第一実施形態にかかる光源装置用のフレーム１ａと同様に、樹脂材料により一体に形成される構成、樹脂材料からなる部品を組み合わせて形成される構成、金属の板材などからなりプレス加工により一体に形成される構成、金属の板材などからなりプレス加工により形成される部品を組み合わせて形成される構成などが適用できる。
【００４４】
図３に示すように、本発明の第二実施形態にかかる光源装置用のフレーム１ｂは、開口した略四辺形の形状に形成される前面部１２を有する。すなわち、前面部１２の外形が略四辺形に形成されるとともに、前面部１２には略四辺形の開口部が形成される。そしてこの前面部１２の前面側は、表示パネルの周縁部を載置可能なように略平面に形成される。そして前面部１２の所定の位置には、表示パネルを位置決めするための係止突起１５が形成される。係止突起１５の内周側の面には、ゴムやスポンジなどの緩衝材１６が設けられることがある。また、前面部１２の内周縁（すなわち開口部側）には、前面部１２に対して所定の角度だけ傾斜する内周面１４ｂが形成される。さらに、前面部１２の外周縁には、背面側に向かって起立する外壁１１が形成される。
【００４５】
図４に示すように、本発明の第二実施形態にかかる光源装置用のフレーム１ｂの前面部１２の外周縁には、背面側に向かって突起する外壁１１が形成される。このため、本発明の第二実施形態にかかる光源装置用のフレーム１ｂの各辺は、略Ｌ字形状の断面を有する。
【００４６】
前面部１２の背面側にはスペーサ部１３が設けられる。このスペーサ部１３は、後述する光学部材と表示パネルとを所定の距離だけ離間させる機能を有する。このスペーサ部１３は、背面側に向かって突起する凸状の構造物であり、所定の高さを有し、前面部１２の背面側の内周縁に沿って開口部を囲繞するように形成される。そして光学部材と表示パネルとの間の距離は、このスペーサ部１３の高さ寸法により規定される。なお、このスペーサ部１３は、前面部１２の各辺の内周縁に沿って途切れることなく形成される構成であることが好ましい。すなわち、開口部を隙間なく囲繞するように形成されることが好ましい。
【００４７】
そしてスペーサ部１３の一方の側面（すなわち、前面部の内周縁側の側面）が本発明の第二実施形態にかかる光源装置用のフレーム１ｂの内周面１４ｂとなる。この内周面１４ｂは、前面部１２に対して所定の角度をもって傾斜する平面である。具体的には、この内周面１４ｂは、背面側から前面側（表示パネルを載置可能な面）に向かって拡がるような傾斜面である。そして内周面１４ｂは、略白色に形成される。
【００４８】
なお、本発明の第二実施形態にかかる光源装置用のフレーム１ｂは、前面部１２の内周面１４ｂが略白色に形成される構成であればよく、他の部分の色は限定されるものではない。たとえば、本発明の第二実施形態にかかる光源装置用のフレーム１ｂの全体が略白色であってもよく、前面部１２の内周面１４ｂのみが略白色であってもよい（すなわち、他の部分は略白色でなくてもよい）。要は、本発明の第二実施形態にかかる光源装置用のフレーム１ｂのうち、少なくとも前面部１２の内周面１４ｂが略白色であればよい。すなわち、本発明の第二実施形態にかかる光源装置用のフレーム１ｂの色については、本発明の第一実施形態にかかる光源装置用のフレーム１ａと同じ構成が適用できる。
【００４９】
次いで、本発明の第三実施形態にかかる光源装置用のフレーム１ｃについて説明する。本発明の第三実施形態にかかる光源装置用のフレーム１ｃは、全体として本発明の第一実施形態にかかる光源装置用のフレーム１ａに似た構造を有する。そこで以下、主に相違する構成について説明し、共通する構成については説明を省略する。
【００５０】
図５は、本発明の第三実施形態にかかる光源装置用のフレーム１ｃの断面構造を模式的に示した図である（図１のＡ−Ａ線断面図に相当する）。図５に示すように、本発明の第三実施形態にかかる光源装置用のフレーム１ｃは、前面部１２と外壁１１とを有し、断面略Ｌ字形状を有する。すなわち、前面部１２の外周縁に沿って、背面側に向かって起立する外壁１１が形成される。
【００５１】
また、前面部１２の背面側には、前面部１２の内周縁に沿って開口部を囲繞する内壁１８ｃが形成される。この内壁１８ｃは、前面部１２の各辺の内周縁に沿って途切れることなく形成される構成であることが好ましい。そして、この内壁１８ｃの側面の一方（前面部１２の内周縁側の側面）が、本発明の第三実施形態にかかる光源装置用のフレーム１ｃの前面部１２の内周面１４ｃとなる。また、この内周面１４ｃは、前面部１２に略直角な平面である。なお、内壁１８ｃは、開口部側の側面（すなわち内周面１４ｃ）が前面部１２に略直角な面に形成されるものであればよく、構成が限定されるものではない。また、内壁１８ｃの高さ寸法は、後述するスペーサ部１３の高さ寸法と略同じ寸法に設定される。
【００５２】
内壁１８ｃの外側にはスペーサ部１３が形成される。このスペーサ部１３は、後述する光学部材と表示パネルとを所定の距離だけ離間させる機能を有する構造物であり、所定の高さを有する突起状の構造物である。そして光学部材と表示パネルとの間の距離は、このスペーサ部１３の高さ寸法により規定される。このため、スペーサ部１３の高さ寸法は、光学部材と表示パネルとの間の距離（すなわち、光学部材と表示パネルとをどれだけ離間させるか）に基づいて設定される。なお、スペーサ部１３は所定の高さを有する構造物であればよく、その形状は特に限定されるものではない。たとえば、スペーサ部１３が柱状の形状を有し、複数のスペーサ部１３が内壁１８ｃの外側に所定の間隔をおいて並べて配設される構成であってもよい。また、スペーサ部１３が立壁状の形状を有し、内壁１８ｃを囲繞するように形成される構成であってもよい。
【００５３】
本発明の第三実施形態にかかる光源装置用のフレーム１ｃの前面部１２の内周面１４ｃは、略白色に形成される。なお、本発明の第三実施形態にかかる光源装置用のフレーム１ｃは、前面部１２の内周面１４ｃが略白色に形成される構成であればよく、他の部分の色は限定されるものではない。具体的には、色については、本発明の第一実施形態にかかる光源装置用のフレーム１ａと同じ構成が適用できる。
【００５４】
次いで、本発明の第四実施形態にかかる光源装置用のフレーム１ｄについて説明する。本発明の第四実施形態にかかる光源装置用のフレーム１ｄは、全体として本発明の第三実施形態にかかる光源装置用のフレーム１ｃに似た構造を有する。そこで、以下、主に相違する構成について説明し、共通する構成については説明を省略する。
【００５５】
図６は、本発明の第四実施形態にかかる光源装置用のフレーム１ｄの断面構造を模式的に示した図である（図１のＡ−Ａ線断面図、または図３のＢ−Ｂ線断面図に相当する）。図６に示すように、本発明の第四実施形態にかかる光源装置用のフレーム１ｄは、前面部１２と外壁１１とを有し、各辺の断面が略Ｌ字状の形状を有する。そして、前面部１２の背面側には、前面部１２の内周縁に沿って開口部を囲繞するように内壁１８ｄが形成される。この内壁１８ｄは、背面側に向かって突起する構造物である。この内壁１８ｄの側面の一方（前面部１２の内周縁側の側面）が、本発明の第四実施形態にかかる光源装置用のフレーム１ｄの内周面１４ｄとなる。この内壁１８ｄは、前面部１２の内周縁に沿って途切れることなく形成される構成であることが好ましい。また、この内周面１４ｄは、前面部１２に所定の角度をもって傾斜する平面である。具体的には、この内周面１４ｄは、背面側から前面側（表示パネルの周縁部を載置可能な面）に向かって拡がるような傾斜面に形成される。なお、内壁１８ｄは、開口部側の側面（すなわち内周面１４ｄ）が前面部１２の前面側の面に所定の角度をもって傾斜する平面に形成されるものであればよく、構成が限定されるものではない。また、傾斜角度も特に限定されるものではない。なお、内壁１８ｄの高さ寸法は、スペーサ部１３の高さ寸法と略同じ寸法に設定される。
【００５６】
そして、内壁１８ｄの外側にはスペーサ部１３が形成される。このスペーサ部１３は、本発明の第三実施形態にかかる光源装置用のフレーム１ｃのスペーサ部１３と同じ構成が適用できる。
【００５７】
本発明の第四実施形態にかかる光源装置用のフレーム１ｄの前面部１２の内周面１４ｄは、略白色に形成される。なお、本発明の第四実施形態にかかる光源装置用のフレーム１ｄは、少なくとも前面部１２の内周面１４ｄが略白色であればよく、他の部分の色は限定されるものではない。各部の色については、本発明の第一実施形態にかかる光源装置用のフレーム１ａと同じ構成が適用できる。
【００５８】
次いで、本発明の第五実施形態にかかる光源装置用のフレーム１ｅについて説明する。本発明の第五実施形態にかかる光源装置用のフレーム１ｅは、本発明の第一実施形態にかかる光源装置用のフレーム１ａとほぼ同じ形状を有する。したがって、詳細な説明は省略する。図７は、本発明の第五実施形態にかかる光源装置用のフレーム１ｅの断面構造を模式的に示した図である（図１のＡ−Ａ線断面図に相当する）。図７に示すように、本発明の第五実施形態にかかる光源装置用のフレーム１ｅは前面部１２と外壁１１とを有し、各辺の断面形状が略Ｌ字状の形状を有する。前面部１２の背面側には、前面部１２の内周縁に沿って開口部を囲繞するようにスペーサ部１３が形成される。そして、スペーサ部１３の側面の一方（前面部１２の内周縁側の側面）が、本発明の第五実施形態にかかる光源装置用のフレーム１ｅの前面部１２の内周面１４ｅとなる。この内周面１４ｅは、前面部１２に略直角に形成される平面である。
【００５９】
本発明の第五実施形態にかかる光源装置用のフレーム１ｅの前面部１２の内周面１４ｅには、反射材１７（たとえば、反射テープ、反射フィルム、反射シート）が貼付される。この反射材１７は、略白色で光を乱反射する表面性状を有する部材である。この反射材１７には、公知の各種反射材が適用できる。
【００６０】
なお、本発明の第五実施形態にかかる光源装置用のフレーム１ｅの色は、特に限定されるものではない。
【００６１】
次いで、本発明の第六実施形態にかかる光源装置用のフレーム１ｆについて説明する。本発明の第六実施形態にかかる光源装置用のフレーム１ｆは、本発明の第二実施形態にかかる光源装置用のフレーム１ｂとほぼ同じ形状を有する。したがって、詳細な説明は省略する。図８は、本発明の第六実施形態にかかる光源装置用のフレーム１ｆの断面構造を模式的に示した図である（図３のＢ−Ｂ線断面図に相当する）。図８に示すように本発明の第六実施形態にかかる光源装置用のフレーム１ｆは、前面部１２と外壁１１とを有し、断面形状が略Ｌ字状の形状となる。前面部１２の背面側には、内周縁に沿って開口部を囲繞するようにスペーサ部１３が形成される。そして、スペーサ部１３の側面の一方（開口部側の側面）が、本発明の第六実施形態にかかる光源装置用のフレーム１ｆの前面部１２の内周面１４ｆとなる。この内周面１４ｆは、背面側から前面側（前面部１２の表示パネルの周縁部を載置可能な面）に向かって拡がるような傾斜面である。
【００６２】
本発明の第六実施形態にかかる光源装置用のフレーム１ｆの前面部１２の内周面１４ｆには、反射材１７（たとえば、反射テープ、反射フィルム、反射シート）が貼付される。この反射材１７は、略白色で光を乱反射する表面性状を有する部材である。この反射材１７には、公知の各種反射材が適用できる。
【００６３】
なお、本発明の第六実施形態にかかる光源装置用のフレーム１ｆの色は、特に限定されるものではない。
【００６４】
次いで、本発明の第七実施形態にかかる光源装置用のフレーム１ｇについて説明する。本発明の第七実施形態にかかる光源装置用のフレーム１ｇは、本発明の第三実施形態にかかる光源装置用のフレーム１ｃとほぼ同じ形状を有する。したがって、詳細な説明は省略する。図９は、本発明の第七実施形態にかかる光源装置用のフレーム１ｇの断面構造を模式的に示した図である（図１のＡ−Ａ線断面図または図３のＢ−Ｂ線断面図に相当する）。図９に示すように、本発明の第七実施形態にかかる光源装置用のフレーム１ｇは、前面部１２と外壁１１とを有し、各辺の断面が略Ｌ字状の形状を有する。前面部１２の背面側には、前面部１２の内周縁に沿って開口部を囲繞するように内壁１８ｇが形成されるとともに、内壁１８ｇの外側にはスペーサ部１３が形成される。本発明の第三実施形態にかかる光源装置用のフレーム１ｃのスペーサ１３と同じ構成が適用できる。内壁１８ｇの側面の一方（前面部１２の内周縁側の側面）が、本発明の第七実施形態にかかる光源装置用のフレーム１ｇの前面部１２の内周面１４ｇとなる。この内周面１４ｇは、前面部１２に略直角に形成される平面である。
【００６５】
本発明の第七実施形態にかかる光源装置用のフレーム１ｇの前面部１２の内周面１４ｇには、反射材１７（たとえば、反射テープ、反射フィルム、反射シート）が貼付される。この反射材１７は、略白色で光を乱反射する表面性状を有する部材である。この反射材１７には、公知の各種反射材が適用できる。
【００６６】
なお、本発明の第七実施形態にかかる光源装置用のフレーム１ｇの色は、特に限定されるものではない。
【００６７】
次いで、本発明の第八実施形態にかかる光源装置用のフレーム１ｈについて説明する。本発明の第八実施形態にかかる光源装置用のフレーム１ｈは、本発明の第四実施形態にかかる光源装置用のフレーム１ｄとほぼ同じ形状を有する。したがって、詳細な説明は省略する。図１０は、本発明の第八実施形態にかかる光源装置用のフレーム１ｈの断面構造を模式的に示した図である（図１のＡ−Ａ線断面図に相当する）。図１０に示すように本発明の第八実施形態にかかる光源装置用のフレーム１ｈは、前面部１２と外壁１１とを有し、各辺の断面形状が略Ｌ字状の形状を有する。前面部１２の背面側には、前面部１２の内周縁に沿って開口部を囲繞するように内壁１８ｈが形成されるとともに、内壁１８ｈの外側にスペーサ部１３が形成される。このスペーサ部１３には、本発明の第三実施形態にかかる光源装置用のフレーム１ｃのスペーサ１３と同じ構成が適用できる。そして、内壁１８ｈの側面の一方（開口部側の側面）が、本発明の第八実施形態にかかる光源装置用のフレーム１ｈの内周面１４ｈとなる。この内周面１４ｈは、背面側から前面側に向かって拡がるような傾斜面である。
【００６８】
本発明の第八実施形態にかかる光源装置用のフレーム１ｈの内周面１４ｈには、反射材１７（たとえば、反射テープ、反射フィルム、反射シート）が貼付される。この反射材１７は、略白色で光を乱反射する表面性状を有する部材である。この反射材１７には、公知の各種反射材が適用できる。
【００６９】
なお、本発明の第八実施形態にかかる光源装置用のフレーム１ｈの色は、特に限定されるものではない。
【００７０】
次に、本発明の第一実施形態から第八実施形態のいずれかにかかる光源装置用のフレーム１ａ，１ｂ，１ｃ，１ｄ，１ｅ，１ｆ，１ｇ，１ｈが適用される光源装置（以下、本発明の実施形態にかかる光源装置と称する）について説明する。
【００７１】
図１１は、本発明の実施形態にかかる光源装置に適用されるシャーシ２１の構成を、模式的に示した外観斜視図である。説明の便宜上、図１１の上方をこのシャーシ２１の前面側と称し、下方を背面側と称する。このシャーシ２１は、底の浅いトレイ状の構造を有する部材である。具体的にはこのシャーシ２１は、底面２１１と、内壁２１２と、載置面２１４と、上端面２１５と、外壁２１３とを有する。底面２１１は、略平板状に形成される部分である。なお、この底面２１１には、光源ホルダを係止するための貫通孔が形成されることがあるが、図１１においては省略してある。内壁２１２は、底面２１１の各長辺に形成される構造物であり、底面２１１から前面側に向かって起立する構造物である。載置面２１４および上端面２１５は、内壁２１２の上端（前面側端部）に形成される平面状の部分であり、底面に略平行な平面である。外壁２１３は、上端面２１５の外側から背面側に向かって起立する構造物である。
【００７２】
このシャーシ２１は、たとえば、金属の板材をプレス加工することにより形成される。そして、内壁２１２、外壁２１３、載置面２１４および上端面２１５により、シャーシ２１の強度を維持している。たとえば、載置面２１４および上端面２１５の幅方向寸法を大きくすると、シャーシ２１の強度が向上し、小さくすると、シャーシ２１の強度が低下する。
【００７３】
図１２は、本発明の実施形態にかかる光源装置２の概略構成を、模式的に示した分解斜視図である。図１３は、本発明の実施形態にかかる光源装置２の断面構造を模式的に示した図である。なお、説明の便宜上、図１２および図１３の上方を、本発明の実施形態にかかる光源装置２の前面側と称し、下方を背面側と称する。
【００７４】
本発明の実施形態にかかる光源装置２は、シャーシ２１と、反射シート２２と、光源２３と、光源ホルダ２４と、サイドホルダ２５と、所定の種類の光学部材２６（光学シート類とも称する）と、本発明のいずれかの実施形態にかかるフレーム１ａ，１ｂ，１ｃ，１ｄ，１ｅ，１ｆ，１ｇ，１ｈと、光源駆動回路基板２７と、光源駆動回路基板カバー２８とを備える。なお、図１２においては、本発明の実施形態にかかる光源装置２に、本発明の第一実施形態にかかる光源装置用のフレーム１ａが適用される構成を示す。
【００７５】
光源２３は、所定の波長の光（たとえば白色光）を発することができる部材である。光源２３には、冷陰極管や熱陰極管などの各種蛍光管、キセノン管などの放電管、ＬＥＤ（発光ダイオード）などの発光素子などといった、従来公知の各種光源が適用できる。図１２に示す本発明の実施形態にかかる光源装置２は、光源として線状の蛍光管が適用される構成を備えるが、本発明は、この構成に限定されるものではない。
【００７６】
反射シート２２は、光を乱反射させる表面性状を有するシート状、フィルム状または板状の部材である。この反射シート２２は、たとえば、シート状、フィルム状または板状の発泡ＰＥＴ（ポリエチレンテレフタレート）などにより形成される。
【００７７】
光源ホルダ２４は、光源２３をシャーシ２１に保持するとともに、光学部材２６を支持する機能を有する部材である。この光源ホルダ２４は、光源２３を保持するためのクリップと、光学部材２６を支持するための支持ピンと、シャーシ２１に係止するためのアンカーとを有する。そして、クリップと支持ピンとアンカーとがたとえば樹脂材料などにより一体的に形成される。なお、光源ホルダ２４は、従来公知の各種光源ホルダが適用できる。
【００７８】
光学部材２６は、透過する光の特性を調整することができる。本発明の実施形態にかかる光源装置２に適用される光学部材としては、拡散板、拡散シート、レンズシート、偏光反射シートが挙げられる。
【００７９】
拡散板は、透過する光をランダムに拡散させることにより、透過する光の面方向の輝度分布を均一にする機能を有する。拡散板は、たとえば、略透明な樹脂材料からなる基材に、光を反射する性質を有する微粒子や、基材とは異なる屈折率を有する材料により形成される微粒子が混合された構成を有する。そしてこの拡散板は、射出成形などによって、薄板状に形成される。
【００８０】
拡散シートは、拡散板と同様な機能を有する光学部材である。拡散シートは、略透明な基材に、光を反射する性質を有する微粒子や、基材とは異なる屈折率を有する微粒子を混合したものを、シート状またはフィルム状に形成したものである。略透明な基材の材料には、たとえばＰＥＴ（ポリエチレンテレフタレート）などが適用できる。
【００８１】
レンズシートは、透過する光を集光することにより、輝度の向上を図る機能を有する光学部材である。レンズシートは、たとえば、基材の層と、所定の断面形状を有し集光機能を有する層との積層構造を有する。基材の層には、たとえばＰＥＴ（ポリエチレンテレフタレート）などが適用できる。集光機能を有する層には、アクリル系の樹脂などが適用できる。
【００８２】
偏光反射シート（輝度向上シートとも称する）は、光の有効利用を図る機能を有する光学部材である。偏光反射シートは、所定の方向の偏光（所定の方向に振動する光）を透過させ、それ以外の光を反射させることができる。この偏光反射シートには、ＤＢＥＦシリーズ（「ＤＢＥＦ」はスリーエムカンパニーの登録商標）が好適に適用できる。
【００８３】
光源駆動回路基板２７は、光源２３を駆動する電子回路および／または電気回路などが構築された回路基板である。光源２３としてたとえば蛍光管が用いられる構成であれば、光源駆動回路基板２７には、インバータ回路などが構築される。光源駆動回路基板カバー２８は、板状または底の浅いトレイ状の部材である。この光源駆動回路基板カバー２８は、光源駆動回路基板２７を保護するとともに、光源駆動回路基板２７からの不要輻射を遮断する機能を有する。このため、この光源駆動回路基板カバー２８は、金属などの導体により形成される。
【００８４】
このような部材を備える光源装置２の組み付け構造は、次のとおりである。
【００８５】
シャーシ２１の底面２１１の前面側に、反射シート２２が配設される。そして、反射シート２２が配設されたシャーシ２１の底面２１１の前面側には、所定の数の光源２３が並べて配設される。これらの光源２３は、光源ホルダ２４によって、シャーシ２１の底面２１１の前面側に保持される。
【００８６】
シャーシ２１の各短辺には、光源２３の両端部を覆うように、サイドホルダ２５が配設される。
【００８７】
シャーシ２１およびサイドホルダ２５の前面側に、所定の光学部材２６が所定の順序で積み重ねられるように配設される。すなわち、光学部材２６の周縁部が、シャーシ２１の載置面２１４とサイドホルダ２５の前面に載置される。また、光学部材２６の中心部は、光源ホルダ２４の支持ピンにより支持される。
【００８８】
光学部材２６の具体的な組合せは、次のとおりである。（１）光学部材２６として、拡散板、拡散シート、レンズシート、偏光反射シートを備える。そして、光源装置２の背面側から順に、拡散板、拡散シート、レンズシート、偏光反射シートが配設される。（２）光学部材２６として拡散板、偏光反射シート、二枚の拡散シートを備える。そして、光源装置２の背面側から順に、拡散板、二枚の拡散シート、偏光反射シートが配設される。（３）光学部材２６として、拡散板、レンズシート、二枚の拡散シートを備える。そして、光源装置２の背面側から順に、拡散板、一枚目の拡散シート、レンズシート、二枚目の拡散シートが配設される。（４）光学部材２６として拡散板、一枚〜三枚の拡散シートを備える。そして光源装置２の背面側から順に、拡散板、所定の枚数の（一枚〜三枚の）拡散シートが積み重ねられるように配設される。
【００８９】
なお、適用される光学部材２６の種類および組合せは、前記種類および前記組合せに限定されるものではない。光源装置２やこの光源装置２が適用される表示装置の種類や仕様などに応じて、適宜設定される。
【００９０】
そして、シャーシ２１の前面側に、本発明のいずれかの実施形態にかかるフレーム１ａ，１ｂ，１ｃ，１ｄ，１ｅ，１ｆ，１ｇ，１ｈが装着される。フレーム１ａ，１ｂ，１ｃ，１ｄ，１ｅ，１ｆ，１ｇ，１ｈが装着されると、光学部材２６の周縁部は、シャーシ２１の載置面２１４とフレーム１ａ，１ｂ，１ｃ，１ｄ，１ｅ，１ｆ，１ｇ，１ｈの前面部１２（に形成されるスペーサ部１３）との間、およびサイドホルダ２５の上面とフレーム１ａ，１ｂ，１ｃ，１ｄ，１ｅ，１ｆ，１ｇ，１ｈの前面部１２（に形成されるスペーサ部１３）との間に収まる（特に図１３参照）。これにより、光学部材２６が本発明の実施形態にかかる光源装置２に保持される。
【００９１】
なお、図１３に示すように、フレーム１ａ，１ｂ，１ｃ，１ｄ，１ｅ，１ｆ，１ｇ，１ｈの前面部１２の内周面１４ａ，１４ｂ，１４ｃ，１４ｄ，１４ｅ，１４ｆ，１４ｇ，１４ｈの位置は、シャーシ２１の載置面２１４の内周縁の位置およびサイドホルダ２５の上面の内周縁の位置と略一致するか、またはこれらの位置よりもわずかに内側の位置にある。すなわち、フレーム１ａ，１ｂ，１ｃ，１ｄ，１ｅ，１ｆ，１ｇ，１ｈの前面部１２の内周面１４ａ，１４ｂ，１４ｃ，１４ｄ，１４ｅ，１４ｆ，１４ｇ，１４ｈの位置は、光学部材２６のうちの光源が発する光を透過する領域の輪郭に一致するか、またはこの輪郭よりわずかに内側に位置する。そして、フレーム１ａ，１ｂ，１ｃ，１ｄ，１ｅ，１ｆ，１ｇ，１ｈの前面部１２およびシャーシ２１の載置面２１４は、前記のような位置関係を充足するように形成される。
【００９２】
シャーシ２１の背面側には、光源駆動回路基板２７が配設されるとともに、この光源駆動回路基板２７を覆うように、光源駆動回路基板カバー２８が配設される。なお、図１３においては、光源駆動回路基板２７および光源駆動回路基板カバー２８は省略してある。
【００９３】
このような構成によれば、光源２３が発した光は、光学部材２６を透過して前面側に照射される。ただし、特に図１３に示すように、光学部材２６の周縁部（具体的には、シャーシ２１の載置面２１４に載置されている部分およびサイドホルダ２５の上面に載置されている部分）は、その背面側に光が照射されないから、前面側に光を照射しない。この部分は、フレーム１ａ，１ｂ，１ｃ，１ｄ，１ｅ，１ｆ，１ｇ，１ｈの前面部１２に覆い隠される。したがって、光学部材２６のうち、シャーシ２１の載置面２１４に載置される部分およびサイドホルダ２５の上面に載置されている部分よりも内側の部分（すなわち、光源が発する光を透過する部分）が、前面部１２の内周面１４ａ，１４ｂ，１４ｃ，１４ｄ，１４ｅ，１４ｆ，１４ｇ，１４ｈに囲繞される。
【００９４】
このため、本発明の実施形態にかかる光源装置２は、フレーム１ａ，１ｂ，１ｃ，１ｄ，１ｅ，１ｆ，１ｇ，１ｈの前面部１２の開口部（すなわち、内周面１４ａ，１４ｂ，１４ｃ，１４ｄ，１４ｅ，１４ｆ，１４ｇ，１４ｈに囲繞される領域）を通じて、面方向に略均一な強度分布を有する光を照射することができる。すなわち、光学部材２６の周縁部（シャーシ２１の載置面２１４に載置されている部分およびサイドホルダ２５の上面に載置されている部分）は、フレーム１ａ，１ｂ，１ｃ，１ｄ，１ｅ，１ｆ，１ｇ，１ｈの前面部１２に覆い隠されており、かつ前面部１２の内周面１４ａ，１４ｂ，１４ｃ，１４ｄ，１４ｅ，１４ｆ，１４ｇ，１４ｈは略白色であるか反射材が貼り付けられているから、光をよく反射する。このため、フレーム１ａ，１ｂ，１ｃ，１ｄ，１ｅ，１ｆ，１ｇ，１ｈの前面部１２の内周面１４ａ，１４ｂ，１４ｃ，１４ｄ，１４ｅ，１４ｆ，１４ｇ，１４ｈ近傍において、照射される光の強度が低下しない。
【００９５】
次に、本発明の実施形態にかかる光源装置を備える表示装置４（本発明の実施形態にかかる表示装置４と称する）について説明する。図１４は、本発明の実施形態にかかる表示装置４の概略構成を、模式的に示した分解斜視図である。図１５は、本発明の実施形態にかかる表示装置４の断面構造を模式的に示した図である。
【００９６】
図１４および図１５に示すように、本発明の実施形態にかかる表示装置４は、本発明の実施形態にかかる光源装置２と、表示パネル組立体４１と、ベゼル４２と、コントロール回路基板４３と、コントロール回路基板カバー４４とを備える。
【００９７】
表示パネル組立体４１は、表示パネルにこの表示パネルを駆動するドライバＩＣ（またはドライバＬＳＩ）が実装された回路基板などが装着された部材である。表示パネルには、従来公知の透過型の各種表示パネルが適用される。たとえば、一般的な透過型のアクティブマトリックスタイプの液晶表示パネルが適用できる。
【００９８】
ベゼル４２は、表示パネル組立体４１を支持および／または保護する機能を有する部材である。図１４に示すようにこのベゼル４２は、開口した略四辺形の形状を有する。
【００９９】
コントロール回路基板４３は、外部（たとえばチューナ）から入力される信号に基づいて、表示パネルを制御する信号を生成する電子回路および／または電気回路が構築された回路基板である。コントロール回路基板カバー４４は、平板状または底の浅いトレイ状の部材である。このコントロール回路基板カバー４４は、コントロール回路基板４３を保護するとともに、コントロール回路基板４３からの不要輻射を遮断する機能を有する。
【０１００】
本発明の実施形態にかかる表示装置４の組み付け構造は、次のとおりである。本発明の実施形態にかかる光源装置２の前面側に、表示パネル組立体４１が配設される。具体的には、表示パネル組立体４１の表示パネルの周縁部が、本発明の実施形態にかかる光源装置２のフレーム１ａ，１ｂ，１ｃ，１ｄ，１ｅ，１ｆ，１ｇ，１ｈに載置される。また、表示パネルに装着される回路基板は、フレーム１ａ，１ｂ，１ｃ，１ｄ，１ｅ，１ｆ，１ｇ，１ｈの前面部１２の前面側および外壁１１の外側に配設される。
【０１０１】
そして、光源装置２の前面側にベゼル４２が装着される。ベゼル４２が装着されると、表示パネルの周縁部は、フレーム１ａ，１ｂ，１ｃ，１ｄ，１ｅ，１ｆ，１ｇ，１ｈの前面部１２とベゼル４２との間に収まる。これにより、表示パネルが本発明の実施形態にかかる表示装置４に保持される。
【０１０２】
また、図１５に示すように、表示装置４を前面側から見ると、ベゼル４２の各辺の内周縁は、光源装置２のフレーム１ａ，１ｂ，１ｃ，１ｄ，１ｅ，１ｆ，１ｇ，１ｈの前面部１２の内周面１４ａ，１４ｂ，１４ｃ，１４ｄ，１４ｅ，１４ｆ，１４ｇ，１４ｈに略一致するか、またはわずかに内側に位置する。そして、ベゼル４２は、前記位置関係を充足するように形成される。
【０１０３】
本発明の実施形態にかかる光源装置２のシャーシ２１の背面側には、コントロール回路基板４３が配設される。そして、このコントロール回路基板４３を覆うように、コントロール回路基板カバー４４が配設される。なお、図１５においては、コントロール回路基板４３およびコントロール回路基板カバー４４は省略してある。
【０１０４】
このような構成によれば、特に図１５に示すように、光学部材２６の周縁部と表示パネルの周縁部との間に、フレーム１ａ，１ｂ，１ｃ，１ｄ，１ｅ，１ｆ，１ｇ，１ｈのスペーサ部１３が介在する。このため、光学部材２６と表示パネルとが、スペーサ部１３によって離間する。なお、光学部材２６と表示パネルとの間の距離は、スペーサ部１３の高さ寸法によって規定される。なお、スペーサ部１３の高さ寸法は、光学部材２６と表示パネルとが接触しないような距離であればよく、特に限定されるものではない。スペーサ部１３の高さ寸法は、たとえば光学部材２６の変形のし易さなどに応じて適宜設定される。
【０１０５】
このように、光学部材２６と表示パネルとがスペーサ部１３によって離間するから、光学部材２６が表示パネルに接触して、光学部材２６や表示パネルの表面に傷がつくことが防止される。このため、光学部材２６や表示パネルの表面の傷に起因する輝度ムラの発生を防止することができ、表示装置の表示品位の向上を図ることができる。
【０１０６】
このような構成の表示装置４の表示パネルを前面側から見ると、表示パネルの周縁部においては、フレーム１ａ，１ｂ，１ｃ，１ｄ，１ｅ，１ｆ，１ｇ，１ｈの前面部１２の内周面１４ａ，１４ｂ，１４ｃ，１４ｄ，１４ｅ，１４ｆ，１４ｇ，１４ｈが見える。一方、光学部材２６の周縁部（シャーシ２１の載置面２１４やサイドホルダ２５の上面に載置されている部分）は、スペーサ部１３や内壁１８ｃ，１８ｄ，１８ｇ，１８ｈにより隠れて見えない。そして、フレーム１ａ，１ｂ，１ｃ，１ｄ，１ｅ，１ｆ，１ｇ，１ｈの前面部１２の内周面１４ａ，１４ｂ，１４ｃ，１４ｄ，１４ｅ，１４ｆ，１４ｇ，１４ｈは、略白色であるか、または反射材１７が貼り付けられており、光源２３が発した光をよく反射する。このため、光学部材２６と表示パネルとの間に隙間があり、表示パネルを通じてフレーム１ａ，１ｂ，１ｃ，１ｄ，１ｅ，１ｆ，１ｇ，１ｈの内周面１４ａ，１４ｂ，１４ｃ，１４ｄ，１４ｅ，１４ｆ，１４ｇ，１４ｈが見えたとしても、フレーム１ａ，１ｂ，１ｃ，１ｄ，１ｅ，１ｆ，１ｇ，１ｈの内周面１４ａ，１４ｂ，１４ｃ，１４ｄ，１４ｅ，１４ｆ，１４ｇ，１４ｈが見える部分において輝度の低下が生じない。したがって、表示パネルの周縁部に暗部が発生せず、表示パネルの全面にわたって均一な輝度で画像の表示を行うことができる。
【０１０７】
特に、フレーム１ｂ，１ｄ，１ｆ，１ｈの内周面１４ｂ，１４ｄ，１４ｆ，１４ｈが、背面側から前面側に向かって拡がるような傾斜面であれば、この内周面１４ｂ，１４ｄ，１４ｆ，１４ｈで反射した光は表示装置４の前面側に向かいやすくなる。このため、フレーム１ａ，１ｂ，１ｃ，１ｄ，１ｅ，１ｆ，１ｇ，１ｈの内周面１４ａ，１４ｂ，１４ｃ，１４ｄ，１４ｅ，１４ｆ，１４ｇ，１４ｈが見える部分における輝度の低下をより効果的に防止することができる。
【０１０８】
また、光学部材２６の周縁部（シャーシ２１の載置面２１４やサイドホルダ２５の上面に載置される部分）は、フレーム１ａ，１ｂ，１ｃ，１ｄ，１ｅ，１ｆ，１ｇ，１ｈの内周面１４ａ，１４ｂ，１４ｃ，１４ｄ，１４ｅ，１４ｆ、１４ｇ，１４ｈに隠れる。このため、光学部材２６の周縁部を、フレーム１ａ，１ｂ，１ｃ，１ｄ，１ｅ，１ｆ，１ｇ，１ｈのスペーサ部１３に対向する位置に配設しても、表示パネルを通じて光学部材２６の周縁部が見えないようにすることができる。すなわち、シャーシ２１の載置面２１４が、フレーム１ａ，１ｂ，１ｃ，１ｄ，１ｅ，１ｆ，１ｇ，１ｈの前面部１２の各辺の内周縁に沿った位置に対向する位置に存在しても、シャーシ２１の載置面２１４（に載置される光学部材２６の周縁部）は見えない。
【０１０９】
このように、光学部材２６の周縁部を、フレーム１ａ，１ｂ，１ｃ，１ｄ，１ｅ，１ｆ，１ｇ，１ｈの内周面１４ａ，１４ｂ，１４ｃ，１４ｄ，１４ｅ，１４ｆ，１４ｇ，１４ｈより大きく外側に外れた位置に配設することなく、光学部材２６の周縁部が表示パネルを通じて見えないようにできる。したがって、表示装置４の額縁領域（すなわち、ベゼル４２）の寸法を大きくする必要がない。このため、表示装置４の額縁領域が大きくなることを防止でき、狭額縁化を図ることができる。
【０１１０】
また、シャーシ２１の載置面２１４をフレーム１ａ，１ｂ，１ｃ，１ｄ，１ｅ，１ｆ，１ｇ，１ｈの内周面１４ａ，１４ｂ，１４ｃ，１４ｄ，１４ｅ，１４ｆ，１４ｇ，１４ｈに近い位置に設けることができるから、シャーシ２１の載置面２１４および上端面２１５の幅方向寸法を小さくする必要がない。このため、シャーシ２１の載置面２１４および上端面２１５の幅方向寸法を十分に確保することがでるから、シャーシ２１が強度不足となることを防止できる。
【０１１１】
このように、本発明の実施形態によれば、光学部材２６と表示パネルとを離間させて光学部材２６や表示パネルの表面に傷がつくことを防止しつつ、表示パネルの周縁部に暗部が発生することを防止できる。したがって、表示装置４の表示品位の向上を図ることができる。また、光学部材２６と表示パネルとが接触しないような距離を維持しつつ、表示装置４の額縁領域が大きくなることを防止できる。また、シャーシ２１の強度を低下させることなく、表示パネルが表示する画像の周縁部に暗部が発生することを防止できる。
【０１１２】
次に、本発明の実施形態にかかる表示装置４が適用されたテレビ受信機５について簡単に説明する。図１６は、本発明の実施形態にかかる表示装置４が適用されたテレビ受信機５の概略構成の一例を、模式的に示した分解斜視図である。このテレビ受信機５は、本発明の実施形態にかかる表示装置４と、電源基板５３と、チューナ基板５４と、拡声手段５５と、前面側キャビネット５１と、背面側キャビネット５２と、支持部材５６とを備える。
【０１１３】
電源基板５３は、本発明の実施形態にかかる表示装置４、チューナ基板５４などに電力を供給する機能を有する回路基板である。
【０１１４】
チューナ基板５４は、チューナ回路が構築された回路基板である。チューナ回路は、受信した電波や外部から入力された信号に基づいて、所定のチャンネルの画像信号と音声信号を生成する。このチューナ回路には、従来一般の地上波（アナログ地上波および／またはディジタル地上波）チューナ回路、ＢＳチューナ回路、ＣＳチューナ回路などが適用される。
【０１１５】
本発明の実施形態にかかる表示装置４は、チューナ回路が生成した所定のチャンネルの画像信号に基づいて、画像を表示する。拡声手段５５は、チューナ回路が生成した音声信号に基づいて、音声を発する。拡声手段５５には、従来一般のスピーカなど、従来公知の各種拡声手段が適用できる。
【０１１６】
そして、本発明の実施形態にかかる表示装置４、電源基板５３、チューナ基板５４、拡声手段５５は、前面側キャビネット５１と背面側キャビネット５２の間に収納され、支持部材５６により支持される。なお、テレビ受信機５は、このような構成に限定されるものではなく、たとえば、電源基板５３、チューナ基板５４、拡声手段５５が、本発明の実施形態にかかる表示装置４に組み付けられる構成であってもよい。
【０１１７】
以上、本発明の各種実施形態について詳細に説明したが、本発明は、前記各種実施形態に何ら限定されるものではなく、本発明の趣旨を逸脱しない範囲で種々の改変が可能である。
【図１】
2010073804.tif 000003
【図２】
2010073804.tif 000004
【図３】
2010073804.tif 000005
【図４】
2010073804.tif 000006
【図５】
2010073804.tif 000007
【図６】
2010073804.tif 000008
【図７】
2010073804.tif 000009
【図８】
2010073804.tif 000010
【図９】
2010073804.tif 000011
【図１０】
2010073804.tif 000012
【図１１】
2010073804.tif 000013
【図１２】
2010073804.tif 000014
【図１３】
2010073804.tif 000015
【図１４】
2010073804.tif 000016
【図１５】
2010073804.tif 000017
【図１６】
2010073804.tif 000018
【国際調査報告】
2010073804.tif 000019
2010073804.tif 000020
2010073804.tif 000021
2010073804.tif 000022